(57)【特許請求の範囲】
【請求項１】
深井戸に設置される基部、前記深井戸内に設置され、前記基部の下端に接続された円筒状のシリンダ、前記シリンダ内に設けられたピストン部材、前記ピストン部材に接続され、前記基部及び前記シリンダ内に渡って設けられたピストンロッド、前記基部に関して回動可能に構成された操作レバー、並びに、前記操作レバー及び前記ピストンロッドを連結し、前記操作レバーの回動を前記ピストンロッドの往復運動に変換するリンク機構部を有する手押しポンプと、
前記シリンダの下端に接続され、前記シリンダに接続される吐出ケーシング、前記吐出ケーシングの一次側に接続されるポンプ部、及び、前記ポンプ部の一次側に接続される吸込ケーシングを有する水中ポンプと、
を備え、
前記手押しポンプは、前記シリンダの下端に設けられた第１逆止弁と、前記ピストン部材に設けられた第２逆止弁と、を備え、
前記水中ポンプは、前記吸込ケーシングが上部に設けられる水中モータ、及び、前記吐出ケーシング内に設けられた第３逆止弁を備える、ことを特徴とする複合ポンプ。
【請求項２】
前記手押しポンプは、前記基部及び前記シリンダの間に、前記基部及び前記シリンダを接続する連結管をさらに有することを特徴とする請求項１に記載の複合ポンプ。
【請求項３】
前記連結管は、複数の配管と、前記複数の配管の間に設けられ、前記ピストンロッドと所定の間隙を有して内周面から突出する円筒状の規制部材と、を備えることを特徴とする請求項２に記載の複合ポンプ。
【請求項４】
前記手押しポンプは、前記シリンダの上端に設けられた降水装置を備えることを特徴とする請求項１に記載の複合ポンプ。
【発明の詳細な説明】
【技術分野】
【０００１】
本発明は、手押しポンプ及び水中ポンプを有する複合ポンプに関する。
【背景技術】
【０００２】
現在、深井戸の井戸水を揚水するために、深井戸用の水中ポンプを用いる技術が知られている。このような水中ポンプは、深井戸の井戸水中に配置し、井戸水を供給する。しかし、水中ポンプを用いて井戸水を揚水する構成では、停電時に井戸水を揚水することができない。
【０００３】
そこで、深井戸用の水中ポンプと手押しポンプを深井戸に設置するタンデム式手押しポンプの技術も知られている（例えば、特許文献１参照）。このタンデム式手押しポンプは、水中ポンプ用の流路と手押しポンプ用の流路を有する複合揚水ユニットを備え、複合揚水ユニットの外径を、深井戸用のケーシングパイプの径よりも若干小径とすることで、深井戸に設置可能な構成としている。
【先行技術文献】
【特許文献】
【０００４】
【特許文献１】実用新案登録第３１７８６９１号公報
【発明の概要】
【発明が解決しようとする課題】
【０００５】
上述したタンデム式手押しポンプでは、以下の問題があった。即ち、深井戸用のケーシングパイプの径よりも若干小径な複合揚水ユニットに、水中ポンプと手押しポンプのそれぞれの流路を設ける構成である。このため、複合揚水ユニットの構成が複雑となる。
【０００６】
また、二つの流路が併存することから、各流路の流路断面積が小さくなり、その結果、流路抵抗が増加するという問題もある。流路抵抗が大きくなると、水中ポンプや手押しポンプが要求される出力を満たさない虞がある。
【０００７】
そこで、本発明は、所望の流路断面積を確保可能な、手押しポンプ及び水中ポンプを有する複合ポンプを提供することを目的としている。
【課題を解決するための手段】
【０００８】
前記課題を解決し目的を達成するために、本発明の複合ポンプは、次のように構成されている。
【０００９】
本発明の一態様によれば、複合ポンプは、深井戸に設置される基部、前記深井戸内に設置され、前記基部の下端に接続された円筒状のシリンダ、前記シリンダ内に設けられたピストン部材、前記ピストン部材に接続され、前記基部及び前記シリンダ内に渡って設けられたピストンロッド、前記基部に関して回動可能に構成された操作レバー、並びに、前記操作レバー及び前記ピストンロッドを連結し、前記操作レバーの回動を前記ピストンロッドの往復運動に変換するリンク機構部を有する手押しポンプと、前記シリンダの下端に接続され、前記シリンダに接続される吐出ケーシング、前記吐出ケーシングの一次側に接続されるポンプ部、及び、前記ポンプ部の一次側に接続される吸込ケーシングを有する水中ポンプと、を備え、前記手押しポンプは、前記シリンダの下端に設けられた第１逆止弁と、前記ピストン部材に設けられた第２逆止弁と、を備え、前記水中ポンプは、前記吸込ケーシングが上部に設けられる水中モータ、及び、前記吐出ケーシング内に設けられた第３逆止弁を備える。
【発明の効果】
【００１０】
本発明によれば、所望の流路断面積を確保可能な、手押しポンプ及び水中ポンプを有する複合ポンプを提供することが可能となる。
【図面の簡単な説明】
【００１１】
【図１】本発明の一実施形態に係る複合ポンプの構成を模式的に示す説明図。
【図２】同複合ポンプに用いられる手押しポンプの構成の一部を示す断面図。
【図３】同手押しポンプの構成の一部を示す断面図。
【図４】同手押しポンプの構成の一部を示す断面図。
【図５】同複合ポンプに用いられる水中ポンプの構成を一部断面で示す側面図。
【発明を実施するための形態】
【００１２】
以下、本発明の一実施形態に係る複合ポンプ１を、図１乃至図５を用いて説明する。  
図１は本発明の一実施形態に係る複合ポンプ１の構成を模式的に示す説明図、図２は複合ポンプ１に用いられる手押しポンプ１１の地上に配置される基部２１及びリンク機構部２６の構成を示す断面図、図３は手押しポンプ１１の深井戸１００内に配置される連結管２２及びピストンロッド２５の構成を示す断面図、図４は手押しポンプ１１の深井戸１００内に配置されるシリンダ２３、ピストン部材２４及びピストンロッド２５の構成を示す断面図、図５は複合ポンプ１に用いられる水中ポンプ１２の構成を一部断面で示す側面図である。
【００１３】
図１乃至図５に示すように、複合ポンプ１は、深井戸１００に設置される手押しポンプ１１と、手押しポンプ１１の一次側に直列に接続される水中ポンプ１２と、を備えている。複合ポンプ１は、手押しポンプ１１及び水中ポンプ１２のそれぞれにより、深井戸１００の井戸水１１０を揚水可能に構成されている。
【００１４】
手押しポンプ１１は、基部２１と、基部２１の下端に接続された連結管２２と、連結管２２の下端に接続されたシリンダ２３と、シリンダ２３の内部に往復動可能に設けられたピストン部材２４と、ピストン部材２４に連結されたピストンロッド２５と、ピストンロッド２５に接続されたリンク機構部２６と、リンク機構部２６に設けられた操作レバー２７と、を備えている。
【００１５】
基部２１は、深井戸１００の開口部を覆うように、例えば水面に対して下端部が対向する姿勢で固定される。基部２１は、上端にピストンロッド２５を挿通可能な挿通孔２１ａと、挿通孔２１ａに設けられた軸封部材２１ｂと、を有する。
【００１６】
基部２１は、下端に連結管２２を接続可能な円筒状に構成される。また、基部２１は、例えば上方の外側面に吐出口２１ｃを有する。基部２１は、吐出口２１ｃと相対する側の上方の外面に、リンク機構部２６を支持する支持部２１ｄを備える。
【００１７】
軸封部材２１ｂは、ピストンロッド２５を摺動可能に支持する。また、軸封部材２１ｂは、ピストンロッド２５のラジアル方向の荷重を支持可能に形成されている。軸封部材２１ｂは、基部２１及びピストンロッド２５の間を密封する。軸封部材２１ｂは、例えば、水質に影響を与えない樹脂材料により形成されている。
【００１８】
支持部２１ｄは、リンク機構部２６の一部を回転可能に支持する。
【００１９】
連結管２２は、一端が基部２１の下端に接続されるとともに、他端がシリンダ２３の上端に接続される。連結管２２は、基部２１とシリンダ２３との間を流体的に接続する。連結管２２は、ピストンロッド２５を内部空間に配置するとともに、内部空間にシリンダ２３から基部２１への井戸水の流路を構成する。連結管２２は、深井戸１００の深さに応じて、複数の配管２２ａを接続することで構成される。また、連結管２２は、連結される配管２２ａ間に設けられる規制部材２２ｂを有する。
【００２０】
複数の配管２２ａの内径は、井戸水が通過する流路が所定の流路断面積を有するように、ピストンロッド２５の外径よりも大径に構成される。
【００２１】
規制部材２２ｂは、配管２２ａと略同一の内径を有する円筒状に構成され、内周面にピストンロッド２５と所定の距離だけ間隙を開けて配置される複数の突起２２ｃを有する。規制部材２２ｂは、配管２２ａの間に介在して設けられる。規制部材２２ｂは、ピストンロッド２５が配管２２ａの軸心に対して傾斜したときに、ピストンロッド２５と当接することで、ピストンロッド２５の径方向の振れ量を規制可能に構成される。
【００２２】
シリンダ２３は、軸心が鉛直方向に沿って延設される筒状に構成される。シリンダ２３は、下端部が水中ポンプ１２に接続される。シリンダ２３は、シリンダ２３の下端部であって、水中ポンプ１２の二次側に設けられた第１逆止弁３１と、シリンダ２３の上端部に設けられた降水弁３２と、を備えている。
【００２３】
シリンダ２３は、シリンダ２３の内部であって、且つ、ピストン部材２４の下方に吸込室２３ａを構成し、シリンダ２３の内部であって、且つ、ピストン部材２４の上方に吐出室２３ｂを有する。
【００２４】
シリンダ２３の内周面は、ピストン部材２４が摺動可能に構成される。シリンダ２３は、内周面の表面粗さ及び軸心に対する円心度が所定の精度で形成される。なお、ここで、所定の精度とは、ピストン部材２４の往復動において、ピストン部材２４及びシリンダ２３の間の漏水等を防止可能な精度であり、手押しポンプ１１の性能に応じて適宜設定可能である。
【００２５】
第１逆止弁３１は、シリンダ２３の下端に設けられた第１弁座３１ａと、第１弁座３１ａと当接する第１弁体３１ｂと、第１弁座３１ａ及び第１弁体３１ｂを覆う第１カバー３１ｃと、を備えている。
【００２６】
第１弁座３１ａは、円環状の座面を有する。第１弁体３１ｂは、樹脂材料で成形された球状に構成される。第１弁体３１ｂは、第１弁座３１ａに関して、離間及び当接可能に構成される。
【００２７】
第１カバー３１ｃは、第１弁体３１ｂと所定の間隙を有して第１弁座３１ａ及び第１弁体３１ｂを覆う。第１カバー３１ｃは、水が通過可能に、第１カバー３１ｃの外部空間及び内部空間を連続する枠状に構成される。第１カバー３１ｃは、図４において二点鎖線で示す様に、第１弁体３１ｂが上方に移動したときに、第１弁体３１ｂの移動を規制する。
【００２８】
降水弁３２は、シリンダ２３の上端に設けられ、シリンダ２３の上端と外部とを連続する孔部３２ａと、孔部３２ａを閉塞する弁体３２ｂと、孔部３２ａを閉塞する方向に弁体３２ｂを付勢する付勢部材３２ｃと、一端が弁体３２ｂに固定された操作ワイヤ３２ｄと、を備えている。操作ワイヤ３２ｄは、弁体３２ｂから基部２１に渡って設けられ、地上において操作可能に構成される。
【００２９】
このような降水弁３２は、操作ワイヤ３２ｄを使用者が操作して弁体３２ｂを孔部３２ａから離間させることで、孔部３２ａより上方に位置する流路中の水を孔部３２ａから外部に排水可能に構成される。
【００３０】
ピストン部材２４は、ピストンロッド２５の下端側に接続されたピストンヨーク４１と、ピストンヨーク４１に設けられ、シリンダ２３の内周面を摺動可能に形成された単数又は複数のピストンシール４２と、ピストンヨーク４１に設けられた第２逆止弁４３と、を備えている。
【００３１】
ピストンヨーク４１は、例えば円筒状に構成され、その外周面にピストンシール４２を設けるシール溝４１ａを、ピストンシール４２と同数有する。また、ピストンヨーク４１は、ピストンロッド２５に接続される接続部４１ｂを有する。接続部４１ｂは、例えば、複数の板状の突起４１ｃと、複数の突起４１ｃに一体に接続され、ピストンロッド２５に固定される固定部４１ｄと、を備えている。
【００３２】
複数の突起４１ｃは、第２逆止弁４３の後述する第２弁体４２ｂの移動を規制可能に構成されるとともに、隣り合う突起４１ｃの間に水の流路を構成する。ピストンシール４２は、シリンダ２３の内周面と摺動可能に構成される。
【００３３】
第２逆止弁４３は、ピストンヨーク４１の内周面に固定された第２弁座４３ａと、第２弁座４３ａと当接する第２弁体４３ｂと、ピストンヨーク４１の複数の突起４１ｃにより構成される第２カバーと、を備えている。
【００３４】
第２弁座４３ａは、円環状に構成される座面を有する。第２弁座４３ａは、例えば、座面を有する円筒状に構成され、ピストンヨーク４１に固定される。第２弁体４３ｂは、樹脂材料で成形された球状に構成される。第２弁体４３ｂは、第２弁座４３ａに関して離間及び当接可能に構成される。第２カバーは、第２弁体４３ｂが上方に移動したときに、複数の突起４１ｃにより、第２弁体４３ｂの移動を規制する。
【００３５】
ピストンロッド２５は、円柱状に形成され、下端部にピストン部材２４のピストンヨーク４１に設けられた固定部４１ｄが固定される。ピストンロッド２５は、シリンダ２３、連結管２２及び基部２１に渡って配置され、基部２１の挿通孔２１ａを通って基部２１の外部へ延設される。ピストンロッド２５は、例えば、複数の軸体２５ａと、これら軸体２５ａを接続する単数又は複数の継手２５ｂと、を備えている。
【００３６】
リンク機構部２６は、第１リンク部材５１と、第２リンク部材５２と、連結軸５３と、を備えている。
【００３７】
第１リンク部材５１は、その長手方向の両端部が、それぞれ連結軸５３によって、支持部２１ｄ及び第２リンク部材５２に連結される。第１リンク部材５１は、板状に形成され、支持部２１ｄに連結軸５３を中心に回転可能に支持される。
【００３８】
第２リンク部材５２は、ピストンロッド２５の上端及び第１リンク部材５１に連結軸５３により連結される。第２リンク部材５２は、板状に形成され、ピストンロッド２５及び第１リンク部材５１に対して回動可能に、ピストンロッド２５及び第１リンク部材５１に支持される。第２リンク部材５２は、長手方向の一端にピストンロッド２５が連結され、長手方向の他端に操作レバー２７が固定される。また、第２リンク部材５２は、その中途部に第１リンク部材５１が連結される。
【００３９】
操作レバー２７は、第２リンク部材５２に接続され、所定の長さに形成された棒状の部材である。
【００４０】
水中ポンプ１２は、水中モータ６１と、吸込ケーシング６２と、回転軸６３と、ポンプ部６４と、吐出ケーシング６５と、固定バンド６６と、電源ケーブル６７と、を備えている。
【００４１】
水中モータ６１は、駆動軸６１ａを有する。水中モータ６１は、電源ケーブル６７を介して外部電源に接続されている。駆動軸６１ａは、例えば継手６１ｂ等を介して回転軸６３に接続される。
【００４２】
吸込ケーシング６２は、水中モータ６１の上部に設けられ、ポンプ部６４の最下段として配置される。吸込ケーシング６２は、略円筒状に形成されるとともに、下部に水中モータ６１のモータケーシングにボルト等により固定される。吸込ケーシング６２は、その外周面に設けられた吸込口６２ａと、吸込口６２ａを覆うストレーナ６２ｂと、を備えている。吸込ケーシング６２は、上端部にポンプ部６４が固定されるとともに、固定バンド６６の一方が固定される。
【００４３】
回転軸６３は、例えば、一端が水中モータ６１の駆動軸６１ａに継手６１ｂを介して接続され、他端が吐出ケーシング６５に回転可能に支持され、吸込ケーシング６２及びポンプ部６４内に収納される。
【００４４】
ポンプ部６４は、吸込ケーシング６２の上部に固定され、その内部に回転軸６３を収納可能に形成されている。具体的に説明すると、ポンプ部６４は、回転軸６３に固定された複数のインペラ６４ａと、インペラ６４ａをそれぞれ収納する複数の中間ケーシング６４ｂと、を備えている。
【００４５】
ポンプ部６４は、インペラ６４ａと中間ケーシング６４ｂとの間に設けられたライナリングと、回転軸６３と中間ケーシング６４ｂとの間に設けられた軸受部材と、を備えている。
【００４６】
インペラ６４ａは、ステンレスや樹脂等で成型され、一対の円板状のシュラウド、及び、一対のシュラウド間に設けられた複数の羽根を備える。インペラ６４ａは、一対のシュラウドの一方が回転軸６３に固定され、他方のシュラウドが吸込口を構成する。
【００４７】
複数の中間ケーシング６４ｂは、積層されて一体に構成される。中間ケーシング６４ｂは、回転軸６３を挿通可能に構成される。中間ケーシング６４ｂは、収納されたインペラ６４ａにより増圧された流体を、二次側のインペラ６４ａの吸込口に案内可能に構成される。
【００４８】
吐出ケーシング６５は、例えば固定バンド６６の他方が固定されるケーシング本体７１と、ケーシング本体７１内に設けられた第３逆止弁７２と、を備えている。ケーシング本体７１は、下端が中間ケーシング６４ｂに接続され、上端が手押しポンプ１１のシリンダ２３の下端に接続される。
【００４９】
第３逆止弁７２は、ケーシング本体７１の内部に設けられた第３弁座７２ａと、第３弁座７２ａと当接する第３弁体７２ｂと、ケーシング本体７１の内部に設けられ、第３弁座７２ａ及び第３弁体７２ｂを覆う第３カバー７２ｃと、を備えている。
【００５０】
第３弁座７２ａは、円環状に構成される座面を有する。第３弁座７２ａは、例えば、ケーシング本体７１内に設けられた円環状の突起である。第３弁体７２ｂは、樹脂材料で成形された球状に構成される。第３弁体７２ｂは、第３弁座７２ａに関して、離間及び当接可能に構成される。第３カバー７２ｃは、ケーシング本体７１内に設けられた複数の突起により構成され、図５に二点鎖線で示す様に、第３弁体７２ｂが上方に移動したときに、第３弁体７２ｂの移動を規制する。また、第３カバー７２ｃは、複数の突起の間に水の流路を構成する。
【００５１】
次に、複合ポンプ１の使用について説明する。  
通常時においては、水中ポンプ１２を駆動し、井戸水を揚水する。具体的には、先ず、電源ケーブル６７を介して供給された電力によって水中モータ６１を駆動し、インペラ６４ａを回転させる。これにより、井戸水が、吸込ケーシング６２の吸込口６２ａから吸い込まれ、各インペラ６４ａで増圧される。井戸水は、第３逆止弁７２の第３弁体７２ｂを第３弁座７２ａから離間させて開状態とし、吐出ケーシング６５から手押しポンプ１１に移動する。吐出ケーシング６５から吐出された井戸水は、手押しポンプ１１のシリンダ２３の第１逆止弁３１の第１弁体３１ｂを第１弁座３１ａから離間させて開状態とするとともに、第２逆止弁４３の第２弁体４３ｂを第２弁座４３ａから離間させて開状態とする。これにより、井戸水は、シリンダ２３、連結管２２及び基部２１を順次移動し、基部２１の吐出口２１ｃから吐出される。
【００５２】
このように、通常時には、水中ポンプ１２を駆動し、吸込ケーシング６２から吸い込んだ水を水中ポンプ１２で増圧し、吐出ケーシング６５から吐出するとともに、手押しポンプ１１内を通過させて、井戸水を二次側に給水する。
【００５３】
また、停電時においては、使用者が操作レバー２７を操作して、井戸水を揚水する。具体的には、先ず、シリンダ２３内に空気が存在する場合には、シリンダ２３内を水で充満させる、所謂呼び水を行う。次に、使用者は、操作レバー２７を操作し、ピストン部材２４を上下方向に往復動させる。
【００５４】
操作レバー２７が上方に位置し、ピストン部材２４が下死点側に位置する場合には、使用者は、操作レバー２７を操作し、操作レバー２７を下方に回動させる。
【００５５】
この操作により、操作レバー２７は、第１リンク部材５１の端部を中心に回動し、ピストンロッド２５が軸心方向に沿って上方へ移動し、図４に実線で示すように、ピストン部材２４が上死点側に移動する。ピストン部材２４が上死点側に向かって移動すると、シリンダ２３内のピストン部材２４の下方の空間である吸込室２３ａの容積が増加する。
【００５６】
このため、ピストン部材２４が上死点側に移動して吸込室２３ａの容積が増加すると、吸込室２３ａの圧力が減少する。第１逆止弁３１の一次側の圧力が吸込室２３ａの圧力よりも高く、換言すると、吸込室２３ａの圧力が負圧になると、図５中、二点鎖線で示す様に、第１弁体３１ｂが上方に移動して開状態となり、吐出ケーシング６５から吸込室２３ａに水が流入する。
【００５７】
なお、このとき、第２逆止弁４３は、図５に実線で示す様に、第２弁体４３ｂが第２弁座４３ａに当接した状態、即ち、閉状態となるこのため、吐出室２３ｂへの水の移動が規制される。
【００５８】
次に、使用者は、操作レバー２７を操作し、操作レバー２７を上方に回動させる。操作レバー２７が上方に回動すると、第２リンク部材５２は、第１リンク部材５１と連結される連結軸５３を中心にピストンロッド２５と連結される端部が下方に移動するように回動し、結果、ピストンロッド２５が下方に移動する。このようなリンク機構部２６の動作により、図５に二点鎖線で示すように、ピストン部材２４は下死点側に移動する。ピストン部材２４が下死点側へ移動すると、吸込室２３ａの容積が減少し、吸込室２３ａ内の圧力が増加する。
【００５９】
吸込室２３ａ内の圧力が吐出室２３ｂ内の圧力よりも高く、換言すると、吸込室２３ａの圧力が大気圧よりも高くなると、図４に示すように、第２弁体４３ｂが上方に移動して第２弁体４３ｂが第２弁座４３ａから離間し、開状態となる。これにより、吸込室２３ａ内の井戸水が吐出室２３ｂに流入する。
【００６０】
このように、ピストン部材２４が下死点側に移動することで、吸込室２３ａ内の水が吐出室２３ｂに移動する。以降、使用者は操作レバー２７を往復動させることで、ピストン部材２４を往復動させ、水を揚水することが可能となる。
【００６１】
また、吸込室２３ａへ吸い込まれる井戸水は、水中ポンプ１２の吸込ケーシング６２から、ポンプ部６４及び吐出ケーシング６５を通過して移動する。
【００６２】
このように、停電時には、手押しポンプ１１を操作して、水中ポンプ１２通過する流路により深井戸１００から井戸水を吸い込み、手押しポンプ１１内を通過させて、二次側に給水する。
【００６３】
このように構成された複合ポンプ１によれば、手押しポンプ１１の一次側に水中ポンプ１２を接続し、深井戸１００から水中ポンプ１２及び手押しポンプ１１内を通過する一つの水の流路を設け、当該流路を手押しポンプ１１及び水中ポンプ１２で共用することが可能となる。これにより、複合ポンプ１は、手押しポンプ１１及び水中ポンプ１２のそれぞれで流路を見た場合、各ポンプ１１、１２で必要な流路断面積を確保できていることから、流路抵抗を増加させることが無い。換言すると、手押しポンプ１１及び水中ポンプ１２の所望される必要口径を確保することが可能となり、結果、広い流路断面積を確保することが可能となる。
【００６４】
これにより、流路抵抗が増加することによる出力の高い各ポンプ１１、１２の選定が必要なく、深井戸１００の口径を大きくする必要もない。換言すると、各ポンプ１１、１２を通過する流路の流路断面積を別途確保する必要がないことから、複合ポンプ１は、手押しポンプ１１及び水中ポンプ１２を組み合わせたとしても、それぞれ必要な出力を有するポンプをそれぞれ選定すればよい。
【００６５】
結果、オーバースペックのポンプを選定しないことから、複合ポンプ１の製造コストや水中ポンプ１２のランニングコストを増大させることがなく、且つ、深井戸１００の径も、手押しポンプ１１及び水中ポンプ１２をそれぞれ通常使用する口径があればよく、製造コスト及び設置費用を増加することもない。
【００６６】
また、水中ポンプ１２は、第３逆止弁７２を有するとともに、水中ポンプ１２の二次側に手押しポンプ１１の第１逆止弁３１及び第２逆止弁４３が配置される構成となる。このため、水中ポンプ１２のポンプ部６４の二次側には、３つの逆止弁３１、４３、７２が配置されることから、水中ポンプ１２の停止時に落水することを極力防止することが可能となる。また、経年変化や砂等の噛み込みによって逆止弁３１、４３、７２のいずれかの密封機能が低下したとしても、他の逆止弁３１、４３、７２により落水が防止可能となる。
【００６７】
上述したように、本実施形態に係る複合ポンプ１によれば、手押しポンプ１１及び水中ポンプ１２を直列に設けることで、所望の流路断面積を確保可能となり、流路抵抗が増大することを防止できる。
【００６８】
なお、本発明は前記実施の形態に限定されるものではない。例えば、上述した第１逆止弁３１、第２逆止弁４３及び第３逆止弁７２は、球状の第１弁体３１ｂ、第２弁体４３ｂ及び第３弁体７２ｂを設ける構成を用いて説明したがこれに限定されない。第１弁体３１ｂ、第２弁体４３ｂ及び第３弁体７２ｂは、流路における水の逆流を防止可能であれば、平板状の弁体や、他の形状の弁体を設ける構成であってもよい。この他、本発明の要旨を逸脱しない範囲で種々変形実施可能である。
以下に、本願出願の当初の特許請求の範囲に記載された発明と同等の記載を付記する。
［１］  深井戸に設置される基部、前記深井戸内に設置され、前記基部の下端に接続された円筒状のシリンダ、前記シリンダ内に設けられたピストン部材、前記ピストン部材に接続され、前記基部及び前記シリンダ内に渡って設けられたピストンロッド、前記基部に関して回動可能に構成された操作レバー、並びに、前記操作レバー及び前記ピストンロッドを連結し、前記操作レバーの回動を前記ピストンロッドの往復運動に変換するリンク機構部を有する手押しポンプと、
前記シリンダの下端に接続され、前記シリンダに接続される吐出ケーシング、前記吐出ケーシングの一次側に接続されるポンプ部、及び、前記ポンプ部の一次側に接続される吸込ケーシングを有する水中ポンプと、
を備えることを特徴とする複合ポンプ。
［２］  前記手押しポンプは、前記シリンダの下端に設けられた第１逆止弁と、前記ピストン部材に設けられた第２逆止弁と、を備え、
前記水中ポンプは、前記吐出ケーシング内に第３逆止弁を有することを特徴とする［１］に記載の複合ポンプ。
［３］  前記手押しポンプは、前記基部及び前記シリンダの間に、前記基部及び前記シリンダを接続する連結管をさらに有することを特徴とする［１］に記載の複合ポンプ。
［４］  前記連結管は、複数の配管と、前記複数の配管の間に設けられ、前記ピストンロッドと所定の間隙を有して内周面から突出する円筒状の規制部材と、を備えることを特徴とする［３］に記載の複合ポンプ。
［５］  前記手押しポンプは、前記シリンダの上端に設けられた降水装置を備えることを特徴とする［１］に記載の複合ポンプ。
【符号の説明】
【００６９】
１…複合ポンプ、１１…手押しポンプ、１２…水中ポンプ、１４…操作レバー、２１…基部、２１ａ…挿通孔、２１ｂ…軸封部材、２１ｃ…吐出口、２１ｄ…支持部、２２…連結管、２２ａ…配管、２２ｂ…規制部材、２２ｃ…突起、２３…シリンダ、２３ａ…吸込室、２３ｂ…吐出室、２４…ピストン部材、２５…ピストンロッド、２５ａ…軸体、２５ｂ…継手、２６…リンク機構部、２７…操作レバー、３１…第１逆止弁、３１ａ…第１弁座、３１ｂ…第１弁体、３１ｃ…第１カバー、３２…降水弁、３２ａ…孔部、３２ｂ…弁体、３２ｃ…付勢部材、３２ｄ…操作ワイヤ、４１…ピストンヨーク、４１ａ…シール溝、４１ｂ…接続部、４１ｃ…突起、４１ｄ…固定部、４２…ピストンシール、４２ｂ…第２弁体、４３…逆止弁、４３…第２逆止弁、４３ａ…第２弁座、４３ｂ…第２弁体、５１…第１リンク部材、５２…第２リンク部材、５３…連結軸、６１…水中モータ、６１ａ…駆動軸、６１ｂ…継手、６２…吸込ケーシング、６２ａ…吸込口、６２ｂ…ストレーナ、６３…回転軸、６４…ポンプ部、６４ａ…インペラ、６４ｂ…中間ケーシング、６５…吐出ケーシング、６６…固定バンド、６７…電源ケーブル、７１…ケーシング本体、７２…第３逆止弁、７２…逆止弁、７２ａ…第３弁座、７２ｂ…第３弁体、７２ｃ…第３カバー、１００…深井戸、１１０…井戸水。
【図１】
0006661337.tif 000002
【図２】
0006661337.tif 000003
【図３】
0006661337.tif 000004
【図４】
0006661337.tif 000005
【図５】
0006661337.tif 000006